(57)【要約】【課題】  複数の情報処理装置間において、同一のＯＳ環境を実現することができる情報処理装置、クライアント情報処理装置及びサーバ情報処理装置を提供する。【解決手段】  本発明に係る情報処理装置１においては、ＯＳ環境情報１５ａ，１５ｂは、情報処理装置１から着脱可能なリムーバブルディスク１５に格納されている。そのため、情報処理装置１と同様の構成を有する情報処理装置であれば、どの情報処理装置でも、リムーバブルディスク１５を取り付けることで、その中に格納されたＯＳ環境情報１５ａ，１５ｂを、演算処理部１１が、格納部１３に格納された仮想マシンモニタ１３ａから起動することができる。そのため、このリムーバブルディスクのみを持ち運ぶことにより、ハードウェアを持ち運ぶことなく、複数の情報処理装置１間において同一のＯＳ環境を実現することができる。【選択図】  図１
2008152485.tif 000002
【特許請求の範囲】
【請求項１】
ＯＳ及びそのＯＳ上で動作するソフトウェアのうちの少なくとも前記ＯＳを含むＯＳ環境情報が格納された外部記憶装置が、着脱可能に取り付けられる接続手段と、
前記ＯＳ環境情報に対して仮想的なハードウェア環境を提供する仮想マシンモニタが格納された格納手段と、
前記外部記憶装置に格納された前記ＯＳ環境情報を、前記格納手段に格納された前記仮想マシンモニタから起動する演算処理手段と
を備える、情報処理装置。
【請求項２】
ＯＳ及びそのＯＳ上で動作するソフトウェアのうちの少なくとも前記ＯＳを含むＯＳ環境情報を格納するサーバ情報処理装置から送信される前記ＯＳ環境情報を受信する受信手段と、
前記受信手段によって受信した前記ＯＳ環境情報を格納する第１の格納手段と、
前記ＯＳ環境情報に対して仮想的なハードウェア環境を提供する仮想マシンモニタが格納された第２の格納手段と、
前記第１の格納手段に格納された前記ＯＳ環境情報を、前記第２の格納手段に格納された前記仮想マシンモニタから起動する演算処理手段と
を備える、クライアント情報処理装置。
【請求項３】
ＯＳ及びそのＯＳ上で動作するソフトウェアのうちの少なくとも前記ＯＳを含むＯＳ環境情報に対して仮想的なハードウェア環境を提供する仮想マシンモニタを格納するクライアント情報処理装置と通信可能に接続された情報処理装置であって、
前記ＯＳ環境情報を格納する格納手段と、
前記格納手段に格納されたＯＳ環境情報を、前記クライアント情報処理装置に対して送信する送信手段と
を備える、サーバ情報処理装置。
【請求項４】
前記クライアント情報処理装置からの前記ＯＳ環境情報の伝送要求を受信する受信手段をさらに備え、
前記送信手段は、前記受信手段が前記伝送要求を受信したときに、前記クライアント情報処理装置に対して前記ＯＳ環境情報を送信する、請求項３に記載のサーバ情報処理装置。
【請求項５】
前記受信手段が、前記クライアント情報処理装置から前記ＯＳ環境情報の伝送要求を受信したときに、前記クライアント情報処理装置に対して認証情報を要求する認証手段をさらに備え、
前記送信手段は、前記認証手段によって前記認証情報が認められた場合にのみ、前記クライアント情報処理装置に対して前記ＯＳ環境情報を送信する、請求項４に記載のサーバ情報処理装置。
【請求項６】
前記格納手段に格納されたＯＳ環境情報を前記送信手段が送信すると、前記格納手段の前記ＯＳ環境情報を削除する削除手段をさらに備える、請求項３〜５のいずれか一項に記載のサーバ情報処理装置。
【発明の詳細な説明】
【技術分野】
【０００１】
本発明は、情報処理装置、クライアント情報処理装置及びサーバ情報処理装置に関する。
【背景技術】
【０００２】
パーソナルコンピュータ（以下、「ＰＣ」と称す。）で処理するドキュメントデータは、リムーバブルディスク等の記憶媒体に格納して持ち運ぶことで、複数のＰＣ間でドキュメントデータを利用することができる。また、上記ドキュメントデータを所定のネットワークストレージに格納しておき、適宜ダウンロードすることで、ネットワークに接続されたＰＣであればどのＰＣでもそのドキュメントデータを利用することができる。
【特許文献１】特開２００５−２３４８８４号公報
【発明の開示】
【発明が解決しようとする課題】
【０００３】
しかしながら、ＰＣのオペレーティングシステム（以下、「ＯＳ」と称す。）及びＯＳ上で動作するソフトウェア（以下、ＯＳ及びソフトウェアのうちの少なくともＯＳを含む情報をＯＳ環境情報と称す。）は、リムーバブルディスクやネットワークストレージを利用したとしても、ドキュメントデータのように容易に持ち運ぶことができなかった。
【０００４】
そのため、例えば、企業内ＬＡＮに接続されたＰＣ間であっても、ユーザが自己のＯＳ環境を持ち運ぶ場合には、ノートパソコンを持ち運ぶのが一般的であった。すなわち、ユーザは、ＯＳ環境情報の持ち運びのみを必要としているにも関わらず、その際には、ハードウェアの持ち運びが必要であった。
【０００５】
なお、ＯＳ環境情報は、仮想マシンモニタと呼ばれる特殊なソフトウェア上で動作させることができる（上記特許文献１参照）。
【０００６】
そこで、本発明は、上述の課題を解決するためになされたもので、複数の情報処理装置間において、同一のＯＳ環境を実現することができる情報処理装置、クライアント情報処理装置及びサーバ情報処理装置を提供することを目的とする。
【課題を解決するための手段】
【０００７】
本発明に係る情報処理装置は、ＯＳ及びそのＯＳ上で動作するソフトウェアのうちの少なくともＯＳを含むＯＳ環境情報が格納された外部記憶装置が、着脱可能に取り付けられる接続手段と、ＯＳ環境情報に対して仮想的なハードウェア環境を提供する仮想マシンモニタが格納された格納手段と、外部記憶装置に格納されたＯＳ環境情報を、格納手段に格納された仮想マシンモニタから起動する演算処理手段とを備える。
【０００８】
この情報処理装置においては、ＯＳ環境情報は、情報処理装置から着脱可能な外部記憶装置に格納されている。そのため、上記構成を有する情報処理装置であれば、どの情報処理装置でも、上記外部記憶装置を取り付けることで、その中に格納されたＯＳ環境情報を、演算処理手段が、格納手段に格納された仮想マシンモニタから起動することができる。そのため、この外部記録装置のみを持ち運ぶことにより、ハードウェアを持ち運ぶことなく、複数の情報処理装置間において同一のＯＳ環境を実現することができる。
【０００９】
本発明に係るクライアント情報処理装置は、ＯＳ及びそのＯＳ上で動作するソフトウェアのうちの少なくともＯＳを含むＯＳ環境情報を格納するサーバから送信されるＯＳ環境情報を受信する受信手段と、受信手段によって受信したＯＳ環境情報を格納する第１の格納手段と、ＯＳ環境情報に対して仮想的なハードウェア環境を提供する仮想マシンモニタが格納された第２の格納手段と、第１の格納手段に格納されたＯＳ環境情報を、第２の格納手段に格納された仮想マシンモニタから起動する演算処理手段とを備える。
【００１０】
このクライアント情報処理装置においては、ＯＳ環境情報はサーバ情報処理装置に格納されており、そのＯＳ環境情報は受信手段によって受信され、第１の格納手段に格納される。そのため、上記構成を有する情報処理装置であれば、どの情報処理装置でも、上記サーバ情報処理装置から受信したＯＳ環境情報を第１の格納手段に格納しておくことで、その中に格納されたＯＳ環境情報を、演算処理手段が、第２の格納手段に格納された仮想マシンモニタから起動することができる。そのため、ハードウェアを持ち運ぶことなく、サーバ情報処理装置に通信可能に接続された複数の情報処理装置間において同一のＯＳ環境を実現することができる。
【００１１】
本発明に係るサーバ情報処理装置は、ＯＳ及びそのＯＳ上で動作するソフトウェアのうちの少なくともＯＳを含むＯＳ環境情報に対して仮想的なハードウェア環境を提供する仮想マシンモニタを格納するクライアント情報処理装置と通信可能に接続された情報処理装置であって、ＯＳ環境情報を格納する格納手段と、格納手段に格納されたＯＳ環境情報を、クライアント情報処理装置に対して送信する送信手段とを備える。
【００１２】
このサーバ情報処理装置は、格納手段にＯＳ環境情報を格納しており、そのＯＳ環境情報は送信手段によって、仮想マシンモニタを格納したクライアント情報処理装置に対して送信される。そのため、上記仮想マシンモニタを有するクライアント情報処理装置であれば、どのクライアント情報処理装置でも、上記情報処理装置から受信したＯＳ環境情報を仮想マシンモニタから起動することができる。そのため、ハードウェアを持ち運ぶことなく、情報処理装置に通信可能に接続された複数のクライアント情報処理装置間において同一のＯＳ環境を実現することができる。
【００１３】
また、クライアント情報処理装置からのＯＳ環境情報の伝送要求を受信する受信手段をさらに備え、送信手段は、受信手段が伝送要求を受信したときに、クライアント情報処理装置に対してＯＳ環境情報を送信する態様であってもよい。この場合、クライアント情報処理装置からの要求に応じて、ＯＳ環境情報を送信することができる。
【００１４】
また、受信手段が、クライアント情報処理装置からＯＳ環境情報の伝送要求を受信したときに、クライアント情報処理装置に対して認証情報を要求する認証手段をさらに備え、送信手段は、認証手段によって認証情報が認められた場合にのみ、クライアント情報処理装置に対してＯＳ環境情報を送信する態様であってもよい。この場合、ＯＳ環境情報が外部に漏洩する事態を有意に回避することができる。
【００１５】
また、格納手段に格納されたＯＳ環境情報を送信手段が送信すると、格納手段のＯＳ環境情報を削除する削除手段をさらに備える態様であってもよい。この場合、クライアント情報処理装置と情報処理装置に、異なるＯＳ環境情報が格納される事態を回避することができる。
【発明の効果】
【００１６】
本発明によれば、複数の情報処理装置間において、同一のＯＳ環境を実現することができる情報処理装置、クライアント情報処理装置及びサーバ情報処理装置が提供される。
【発明を実施するための最良の形態】
【００１７】
以下、添付図面を参照して本発明を実施するにあたり最良と思われる形態について詳細に説明する。なお、同一又は同等の要素については同一の符号を付し、説明が重複する場合にはその説明を省略する。
（第１実施形態）
【００１８】
図１は、本発明の第１実施形態に係る２台の情報処理装置の概略構成を示すブロック図である。本発明の第１実施形態に係る情報処理装置２は、例えばデスクトップタイプやノートタイプのパーソナルコンピュータ（以下、ＰＣと称す。）である。
【００１９】
図１に示すように、２台の情報処理装置１（１Ａ、１Ｂ）はそれぞれ、機能的構成要素として、演算処理部（演算処理手段）１１と、接続部（接続手段）１２と、格納部（格納手段）１３とを有し、物理的構成要素として、ＣＰＵ、各種メモリ、ＢＵＳ、接続コネクタ、表示装置、通信装置等を有している。なお、各要素はＢＵＳを介して互いに接続されている。
【００２０】
そして、接続部１２には、ＵＳＢケーブル（ＵＳＢ２．０）を介して、リムーバブルディスクドライブ１４が接続されている。なお、左側の情報処理装置１Ａには、リムーバブルディスク１５がセットされたリムーバブルディスクドライブ１４が接続されている。
【００２１】
このリムーバブルディスク１５には、オペレーティングシステム（ＯＳ）１５ａと、このＯＳ１５ａ上で動作するアプリケーションソフト１５ｂとが格納されている。本実施形態においては、ＯＳ１５ａとアプリケーションソフト１５ｂとを合わせてＯＳ環境情報と称す。このＯＳ環境情報には、情報処理装置１のユーザが作業すべき環境のデータが全て含まれていることが好ましい。
【００２２】
また、格納部１３には、リムーバブルディスク１５に格納されたＯＳ環境情報に対して仮想的なハードウェア環境を提供する仮想マシンモニタ（バーチャルマシンモニタ）１３ａが格納されている。つまり、この仮想マシンモニタ１３ａは、リムーバブルディスク１５に格納されたＯＳ環境情報を情報処理装置１で起動するためのソフトウェアであり、その代表的なものとしてはＶＭｗａｒｅ（登録商標）やＥＳＸｓｅｒｖｅｒ（登録商標）等が知られている。
【００２３】
演算処理部１１は、情報処理装置１における種々の演算処理を行う部分である。また、演算処理部１１は、情報処理装置１の起動時に、格納部１３の仮想マシンモニタ１３ａを起動し、この仮想マシンモニタ１３ａの制御のもとに情報処理装置１に取り付けられたリムーバブルディスク１５内のＯＳ環境情報（すなわち、ＯＳ１５ａ及びアプリケーションソフト１５ｂ）を起動させる。
【００２４】
ここで、情報処理装置１における論理構成と物理構成との関係について、図２を参照しつつ説明する。
【００２５】
上述したように、外部記憶装置であるリムーバブルディスク１５には、ＯＳ環境情報であるオペレーティングシステム（ＯＳ）とそのＯＳ上で動作するアプリケーションソフトとが格納されている。一方、情報処理装置１には、上記ＯＳ環境情報を起動するための仮想マシンモニタが格納部１３に格納されており、また実際に存在するハードウェア環境（例えば、ＣＰＵやメモリ等）が備えられている。つまり、ＯＳ環境情報は、情報処理装置１から着脱することができるリムーバブルディスク１５内に格納されているため、リムーバブルディスク１５を取り外すことで、ＯＳ環境情報のみの持ち運びが可能となっている。
【００２６】
なお、安全性の面から、リムーバブルディスク１５には図２に示すようにＩＤ認証を設定しておくことが好ましい。それにより、権限のない者による不正利用を回避することができる。
【００２７】
図１に戻って、右側の情報処理装置１Ｂは、左側の情報処理装置１Ａと同一の構成を有しているが、情報処理装置１Ｂの接続部１２に接続されたリムーバブルディスクドライブ１４にはリムーバブルディスク１５がセットされていない状態である。ただし、上述したように、リムーバブルディスク１５の持ち運びにより、情報処理装置１Ｂに接続されたリムーバブルディスクドライブ１４にリムーバブルディスク１５がセットされると、情報処理装置１Ａにおいて説明したとおり、リムーバブルディスク１５内のＯＳ環境情報が演算処理部１１により起動される。
【００２８】
以上で説明したとおり、第１実施形態に係る情報処理装置１においては、ＯＳ環境情報は、情報処理装置１から着脱可能なリムーバブルディスク（外部記憶装置）１５に格納されている。そのため、上記構成を有する情報処理装置１であれば、情報処理装置１Ａや情報処理装置１Ｂ等のどの情報処理装置１でも、リムーバブルディスク１５を取り付けることで、その中に格納されたＯＳ環境情報を、演算処理部１１が、格納部１３に格納された仮想マシンモニタ１３ａから起動することができる。
【００２９】
そのため、このリムーバブルディスク１５のみを持ち運ぶことにより、ノートパソコンのようなハードウェア環境を持ち運ぶことなく、複数の情報処理装置１間において同一のＯＳ環境が実現される。
【００３０】
その上、リムーバブルディスク１５内のＯＳ環境情報は、仮想マシンモニタのみに依存し、持ち運び先の情報処理装置１のハードウェア環境やＯＳには依存しない。そのため、持ち運び先の情報処理装置１のハードウェア環境（メーカや機種、接続機器等）やＯＳに影響されることなく、どの情報処理装置１でも同一のＯＳ環境を実現することができる。
【００３１】
なお、リムーバブルディスク１５内のＯＳ環境情報は、情報処理装置１のユーザによる処理が終了した後にデータ更新をしておくことで、常に最新のＯＳ環境情報をリムーバブルディスク１５内に格納しておくことができる。
【００３２】
また、リムーバブルディスク全体を所定のアルゴリズムで暗号化し、ユーザ認証を行った後に復号化することで、リムーバブルディスクの移動時に紛失などした場合でも、それによる情報流出リスクを軽減することができる。
（第２実施形態）
【００３３】
次に、本発明に係る第２実施形態について図３〜図５を参照しつつ説明する。ここで、図３は、本発明の第２実施形態に係る通信システムの構成を示す図であり、図４は図３の通信システムのサーバ情報処理装置の概略構成を示すブロック図であり、図５は図３の通信システムのクライアント情報処理装置の概略構成を示すブロック図である。
【００３４】
図３に示すように、本発明の第２実施形態に係る通信システム４は、１台のサーバ情報処理装置３と、そのサーバ情報処理装置３にネットワークを介して接続された複数台のクライアント情報処理装置２とによって構成されている。より具体的には、通信システム４では、α事業所に設置されている複数台のクライアント情報処理装置２と、α事業所とは別のβ事業所に設置されている複数台のクライアント情報処理装置２とを含んでおり、それら全てのクライアント情報処理装置２がサーバ情報処理装置３と通信可能に接続されている。なお、図３ではルータ等の接続機器の図示は省略している。
【００３５】
各クライアント情報処理装置２は、図４に示すように、機能的構成要素として、演算処理部（演算処理手段）２１と、通信部（受信手段）２２と、第１及び第２の格納部２３，２４とを有し、物理的構成要素として、ＣＰＵ、各種メモリ、ＢＵＳ、接続コネクタ、表示装置、通信装置等を有している。なお、各要素はＢＵＳを介して互いに接続されている。
【００３６】
第１の格納部（第１の格納手段）２４には、通信部２２によってサーバ情報処理装置３から受信（ダウンロード）したＯＳ環境情報２４ａが格納されている。このＯＳ環境情報２４ａには、上述した第１実施形態のＯＳ１５ａ及びアプリケーションソフト１５ｂが含まれている。
【００３７】
また、第２の格納部（第２の格納手段）２３には、第１の格納部２４に格納されたＯＳ環境情報２４ａに対して仮想的なハードウェア環境を提供する、第１実施形態と同様の仮想マシンモニタ１３ａが格納されている。
【００３８】
演算処理部２１は、クライアント情報処理装置２における種々の演算処理を行う部分である。また、演算処理部２１は、情報処理装置２の起動時に、第２の格納部２３の仮想マシンモニタ１３ａを起動し、この仮想マシンモニタ１３ａの制御のもとに第１の格納部２４に格納されたＯＳ環境情報（すなわち、ＯＳ１５ａ及びアプリケーションソフト１５ｂ）２４ａを起動させる。
【００３９】
通信部２２は、サーバ情報処理装置３との間でデータの送受信を行う部分である。この通信部２２は、サーバ情報処理装置３に格納されているＯＳ環境情報２４ａを受信（ダウンロード）して第１の格納部２４に格納する機能を有する。また、クライアント情報処理装置２のユーザからの指示入力に従い、サーバ情報処理装置３に対してＯＳ環境情報の伝送要求を送信する機能を有する。
【００４０】
サーバ情報処理装置３は、図５に示すように、機能的構成要素として、格納部（格納手段）３１と、通信部（送信手段、受信手段）３２と、認証部（認証手段）３３と、削除部（削除手段）３４とを有し、物理的構成要素として、ＣＰＵ、各種メモリ、ＢＵＳ、接続コネクタ、表示装置、通信装置等を有している。なお、各要素はＢＵＳを介して互いに接続されている。
【００４１】
格納部３１には、クライアント情報処理装置２に送るべきＯＳ環境情報２４ａが格納されている。なお、図５には、１つのＯＳ環境情報２４ａしか示していないが、実際には、クライアント情報処理装置２のユーザ毎に複数のＯＳ環境情報２４ａが格納部３１に格納されている。
【００４２】
通信部３２は、クライアント情報処理装置２からＯＳ環境情報２４ａの伝送要求を受信する部分である。また、通信部３２は、上記伝送要求を受信したときに、格納部３１に格納されたＯＳ環境情報２４ａを送信する部分である。
【００４３】
認証部３３は、クライアント情報処理装置２から上記伝送要求を通信部３２が受信したときに、クライアント情報処理装置２に対して認証情報を要求する部分である。より具体的には、ＯＳ環境情報の伝送要求を送信したクライアント情報処理装置２に対して、認証情報の入力を要求し、入力された認証情報の正否を判定する。
【００４４】
削除部３４は、格納部３１の複数のＯＳ環境情報２４ａのうち、通信部３２からクライアント情報処理装置２に対して送信されたＯＳ環境情報２４ａを、格納部３１から削除する部分である。
【００４５】
続いて、上述した通信システム４においてＯＳ環境情報を伝送する手順について、図６を参照しつつ説明する。ここで、図６は、通信システム４におけるＯＳ環境情報の伝送手順を示したフロー図である。
【００４６】
通信システム４においてＯＳ環境情報の伝送が行われるときには、まず、クライアント情報処理装置２の通信部２２からサーバ情報処理装置３に対して、ＯＳ環境情報の伝送要求が送信される（Ｓ１０）。この伝送要求をサーバ情報処理装置３が通信部３２によって受信すると（Ｓ１１）、サーバ情報処理装置３の認証部３３はクライアント情報処理装置２から正規の認証情報を受け付けるまで待機する（Ｓ１２）。認証部３３による認証が完了すると、通信部３２は、認証情報によって特定されたユーザのＯＳ環境情報２４ａを格納部３１から抽出し、伝送要求を送信したクライアント情報処理装置２に対して送信する（Ｓ１３）。
【００４７】
クライアント情報処理装置２は、通信部２２によってサーバ情報処理装置３からのＯＳ環境情報２４ａを受信すると、そのＯＳ環境情報２４ａを第１の格納部２４に格納する（Ｓ１４）。一方、サーバ情報処理装置３は、通信部３２によるＯＳ環境情報２４ａが完了すると、送信したＯＳ環境情報２４ａを削除部３４によって格納部３１から削除する（Ｓ１５）。
【００４８】
以上で説明したとおり、第２実施形態に係る通信システム４のクライアント情報処理装置２及びサーバ情報処理装置３では、ＯＳ環境情報２４ａはサーバ情報処理装置３に格納されており、そのＯＳ環境情報２４ａはクライアント情報処理装置２の通信部２２によって受信され、第１の格納部２４に格納される。そのため、上記構成を有する情報処理装置２であれば、どの情報処理装置２でも、サーバ情報処理装置３から受信したＯＳ環境情報２４ａを第１の格納部２４に格納しておくことで、その中に格納されたＯＳ環境情報２４ａを、演算処理部２１が、第２の格納部２３に格納された仮想マシンモニタ１３ａから起動することができる。
【００４９】
そのため、ハードウェアを持ち運ぶことなく、サーバ情報処理装置３に通信可能に接続された複数の情報処理装置２間において同一のＯＳ環境が実現される。
【００５０】
その上、サーバ情報処理装置３に格納されているＯＳ環境情報２４ａは、仮想マシンモニタのみに依存し、異なる事業所α，βのクライアント情報処理装置２のハードウェア環境やＯＳには依存しない。そのため、各事業所α，βの情報処理装置２のハードウェア環境やＯＳに影響されることなく、同一のＯＳ環境を実現することができる。従って、通信システム４の管理者は、ハードウェア環境を全ての事業所で統一させるためのコストを大幅に削減することができ、同一ＯＳ環境の実現を低コストで行うことができる。
【００５１】
なお、サーバ情報処理装置３に格納されているＯＳ環境情報２４ａは、クライアント情報処理装置２のユーザによる処理が終了した後にアップロードしておくことで、常に最新のＯＳ環境情報をサーバ情報処理装置３に格納しておくことができる。
【００５２】
さらに、通信システム４においては、クライアント情報処理装置２からサーバ情報処理装置３に対してＯＳ環境情報の伝送要求が送信されるため、クライアント情報処理装置２のユーザの要求に応じて、サーバ情報処理装置３のＯＳ環境情報２４ａを送信することができる。また、サーバ情報処理装置３が認証部３３を有するため、格納部３１のＯＳ環境情報２４ａの不正入手が困難になっており、ＯＳ環境情報２４ａが外部に漏洩する事態が有意に回避（情報流出リスクが軽減）されている。このように、認証情報（ＩＤ）とＯＳ環境情報２４ａとがセットになっているため、情報流出の危険性が低減できる。
【００５３】
加えて、サーバ情報処理装置３が削除部３４を有するため、通信部３２から送出されたＯＳ環境情報２４ａがサーバ情報処理装置３内に残らず、クライアント情報処理装置２とサーバ情報処理装置３に、異なるＯＳ環境情報が格納された事態が回避されている。
【００５４】
なお、クライアント情報処理装置２は、ＯＳ環境情報２４ａをサーバ情報処理装置３から毎回ダウンロードする必要はなく、第１の格納部２４にキャッシュされているＯＳ環境情報２４ａが最新のＯＳ環境情報２４ａである場合にはサーバ情報処理装置３からダウンロードしなくてもよい。
【００５５】
第２実施形態では、異なる事業所α，βを例に説明を行ったが、この異なる事業所α，βを異なる店舗とすることで、インターネットカフェなどの様な業態に転用することもできる。
【００５６】
本発明は上記実施形態に限定されるものではなく、様々な変形が可能である。例えば、ＯＳ環境情報は、必ずしも、ＯＳとアプリケーションソフトとで構成されている必要はなく、少なくともＯＳが含まれていればよい。また、ＯＳ環境情報として、アプリケーションソフトで用いられるドキュメントデータを含めた態様であってもよい。
【図面の簡単な説明】
【００５７】
【図１】本発明の第１実施形態に係る２台の情報処理装置の概略構成を示すブロック図である。
【図２】図１の情報処理装置の論理構成と物理構成との関係を示した図である。
【図３】本発明の第２実施形態に係る通信システムの構成を示す図である。
【図４】図３の通信システムのサーバ情報処理装置の概略構成を示すブロック図である。
【図５】図３の通信システムのクライアント情報処理装置の概略構成を示すブロック図である。
【図６】図３の通信システムにおけるＯＳ環境情報の伝送手順を示したフロー図である。
【符号の説明】
【００５８】
１，１Ａ，１Ｂ…情報処理装置、２…クライアント情報処理装置、３…サーバ情報処理装置、１１…演算処理部、１２…接続部、１３…格納部、１３ａ…仮想マシンモニタ、１５…リムーバブルディスク、２１…演算処理部、２２…通信部、２３…第２の格納部、２４…第１の格納部、２４ａ…ＯＳ環境情報、３１…格納部、３２…通信部、３３…認証部、３４…削除部。
【図１】
2008152485.tif 000003
【図２】
2008152485.tif 000004
【図３】
2008152485.tif 000005
【図４】
2008152485.tif 000006
【図５】
2008152485.tif 000007
【図６】
2008152485.tif 000008